(57)【要約】【課題】簡易な構成で、かつ電気掃除機の運転開始当初から運転停止させたあと十分な期間に亘って、触媒の活性を維持して掃除機本体内の臭気を消臭可能な電気掃除機を提案する。【解決手段】電動送風機９の排気口２７には、熱によって活性化される触媒作用を利用した化学反応により悪臭を除去する第２の消臭部としての消臭部材２８を付着または含浸させたフィルタ２９が設けられる。【選択図】  図２
2009232898.tif 000002
【特許請求の範囲】
【請求項１】
塵埃が蓄積される集塵部を介して空気を吸い込む電動送風機と、
前記電動送風機を収容する電動送風機室に設けられた蓄熱部と、
前記蓄熱部に着設された消臭部とを備え、
前記消臭部は、熱によって活性化される触媒作用を利用した化学反応により悪臭を除去することを特徴とする電気掃除機。
【請求項２】
前記蓄熱部は、前記電動送風機のケースであり、
前記消臭部は、前記電動送風機のケースに形成された排気口に設けられたフィルタであることを特徴とする請求項１に記載の電気掃除機。
【請求項３】
前記蓄熱部は、前記電動送風機を覆う保持体に形成された吐出口の周縁に設けられ、
前記消臭部は、前記吐出口に設けられたフィルタであることを特徴とする請求項１に記載の電気掃除機。
【請求項４】
前記蓄熱部は、前記電気掃除機の制御部に設けられた放熱板であり、
前記消臭部は、前記放熱板に設けられたフィルタであることを特徴とする請求項１に記載の電気掃除機。
【請求項５】
前記集塵部に設けられた発熱部と、
前記集塵部に設けられ、かつ前記発熱部に着設された蓄熱部と、
前記集塵部内に設けられた前記発熱部および前記蓄熱部に着設された消臭部とを備えたことを特徴とする請求項１から４のいずれか１項に記載の電気掃除機。
【発明の詳細な説明】
【技術分野】
【０００１】
本発明は、蓄積された塵埃の臭気を熱によって活性化される触媒作用を利用した化学反応により除去する電気掃除機に関する。
【背景技術】
【０００２】
特許文献１に記載の電気掃除機では、電気掃除機本体に収容された電動送風機の排気の一部を塵埃集塵部よりも上流に戻し、かつ熱によって活性化される触媒を塵埃とともに塵埃集塵部に投入することによって、排気臭気を少なくする。
【特許文献１】特開２００６−２５５０６０号公報
【発明の開示】
【発明が解決しようとする課題】
【０００３】
しかしながら、従来の電気掃除機では、触媒が投入される塵埃集塵部よりも上流に電動送風機の排気風を戻す流路を有する必要があり、掃除機本体の構造が複雑になる。
【０００４】
また、電動送風機が停止して塵埃集塵部に排気風が供給されなくなると、電気掃除機内に残留する空気は十分に消臭されなくなる。そうすると、電気掃除機の次回運転の開始時に、触媒が十分に加熱されるまでの間は電気掃除機の排気臭気が強くなる。
【０００５】
本発明は、簡易な構成で、かつ電気掃除機の運転開始当初から運転停止させたあと十分な期間に亘って、触媒の活性を維持して掃除機本体内の臭気を消臭可能な電気掃除機を提案する。
【課題を解決するための手段】
【０００６】
前記の課題を解決するため本発明では、塵埃が蓄積される集塵部を介して空気を吸い込む電動送風機と、前記電動送風機を収容する電動送風機室に設けられた蓄熱部と、前記蓄熱部に着設された消臭部とを備え、前記消臭部は、熱によって活性化される触媒作用を利用した化学反応により悪臭を除去することを特徴とする。
【発明の効果】
【０００７】
本発明によれば、簡易な構成で、かつ電気掃除機の運転開始当初から運転停止させたあと十分な期間に亘って、触媒の活性を維持して掃除機本体内の臭気を消臭可能な電気掃除機を提案できる。
【発明を実施するための最良の形態】
【０００８】
以下、本発明に係る電気掃除機の実施の形態について、図面を参照して説明する。
【０００９】
［第１の実施形態］
本発明に係る電気掃除機の第１実施形態について図１から図２を参照して説明する。
【００１０】
図１は、本発明の第１実施形態に係る電気掃除機の外観を示した図である。
【００１１】
図１に示すように、本実施形態に係る電気掃除機１は、掃除機本体２と、掃除機本体２に設けられた接続口２ａに一端が着脱自在に接続された集塵ホース３と、集塵ホース３の他端に一端が設けられた手元操作管４と、手元操作管４の他端に一端が着脱自在に接続された延長管５と、延長管５の他端に着脱自在に接続された吸込口体６とを備える。
【００１２】
手元操作管４には操作部４ａが設けられる。操作部４ａは電気掃除機１の運転を停止させる切スイッチ４ｂや電気掃除機１の運転を開始させる起動スイッチ４ｃなどを有する。
【００１３】
吸込口体６の下面には、被清掃面に対向させた吸込開口（図示省略）が形成される。この吸込開口は、吸込口体６内部に形成された吸込室（図示省略）に連通される。この吸込開口は延長管５と手元操作管４と集塵ホース３とを介して接続口２ａから掃除機本体２内へ連通される。
【００１４】
掃除機本体２は、接続口２ａに連通され、電気掃除機１に吸い込まれた含塵空気から塵埃を分離して集塵する着脱可能な塵埃分離集塵ユニット８と、塵埃分離集塵ユニット８を介して吸込口体６に負圧を作用させる電動送風機９と、塵埃分離集塵ユニット８を覆う蓋板１０とを備える。
【００１５】
塵埃分離集塵ユニット８は、掃除機本体２の前部に形成された収納室１１内に収容される。蓋板１０は、掃除機本体２の上部に開閉可能に連結される。収納室１１に塵埃分離集塵ユニット８が収容されて蓋板１０が閉じられると、塵埃分離集塵ユニット８は蓋板１０と収納室１１の底板との間に挟まれて固定される。
【００１６】
塵埃分離集塵ユニット８に蓄積された塵埃を廃棄するときは、掃除機本体２の蓋板１０を開成させて掃除機本体２から塵埃分離集塵ユニット８を取り出す。
【００１７】
図２は、本発明の第１実施形態に係る電気掃除機の掃除機本体の部分的な断面図である。
【００１８】
図２に示すように、掃除機本体２の内部は、連通孔１５を有する隔壁１６によって、塵埃分離集塵ユニット８が収容された収納室１１と、電動送風機９が収容された電動送風機室１７とに区画される。
【００１９】
隔壁１６の連通孔１５には電動送風機９の吸気口１９が連通される。連通孔１５を介して電動送風機９の作動による負圧が塵埃分離集塵ユニット８に作用する。
【００２０】
塵埃分離集塵ユニット８は、掃除機本体２の接続口２ａから吸い込まれた含塵空気を塵埃と空気とに分離する分離部２０を備える。含塵空気から分離された塵埃は塵埃分離集塵ユニット８に設けられた集塵部２１に蓄積される。集塵部２１には、熱によって活性化される触媒作用を利用した化学反応により悪臭を除去する第１の消臭部２２と、第１の消臭部２２に着設された熱源である発熱部２３と、第１の消臭部２２および発熱部２３に着設された第１の蓄熱部としての蓄熱部材２４とが設けられる。発熱部２３はヒータ、ランプ、化学反応を利用した発熱体などの熱源が用いられる。蓄熱部材２４は金属製のヒートシンクである。集塵部２１は分離部２０を経て電動送風機９に連通される。
【００２１】
電動送風機９は、金属製の電動送風機ケース２６に覆われる。電動送風機ケース２６には排気口２７が形成される。電動送風機９の吸気口１９に吸い込まれた空気は、電動送風機９の遠心ファン部（図示省略）を駆動させるモータ部（図示省略）によって加熱されて排気口２７から排気される。
【００２２】
電動送風機９の排気口２７には、熱によって活性化される触媒作用を利用した化学反応により悪臭を除去する第２の消臭部としての消臭部材２８を付着または含浸させたフィルタ２９が設けられる。フィルタ２９は排気口２７を覆うとともに、その周縁部の電動送風機ケース２６に当接される。
【００２３】
第１の消臭部２２および消臭部材２８にはマンガン、銅、コバルト、チタン、金および白金のいずれかの金属、もしくは金属酸化物を含む触媒が用いられる。
【００２４】
電動送風機室１７には、電動送風機９を覆う略円筒状の保持体３１が設けられる。保持体３１には吐出口３２が形成される。吐出口３２によって電動送風機９の排気口２７から保持体３１の内部に排気された空気は、保持体３１の外部である電動送風機室１７に吐出される。
【００２５】
電動送風機室１７が区画形成された掃除機本体２のケース部３３には、本体排気口３４が形成される。本体排気口３４によって電動送風機室１７に吐出された電動送風機９の排気は掃除機本体２の外部へ排気される。すなわち、電動送風機９の排気は、その排気口２７から本体排気口３４を介して掃除機本体２の外部へ排気される。
【００２６】
掃除機本体２は電源コード（図示省略）および電動送風機９などに電気的に接続された略矩形平板状の回路基板３６を備える。回路基板３６には、マイクロコンピュータなどの電気掃除機１の制御部（図示省略）が実装される。回路基板３６には、制御部の動作によって発生する熱を放出させる金属製のヒートシンクである放熱板３７が設けられる。放熱板３７は電動送風機室１７に延設され、特にケース部３３に形成された本体排気口３４の近傍に亘って延設される。
【００２７】
次に、本実施形態に係る電気掃除機１の掃除動作を説明する。
【００２８】
先ず、電気掃除機１の使用者は、掃除機本体２の接続口２ａに集塵ホース３を接続し、手元操作管４を介して集塵ホース３に延長管５を連通し、延長管５に吸込口体６を接続する。
【００２９】
次に、掃除機本体２から電源コード（図示省略）を引き出して商用電源を供給するコンセント（図示省略）に接続する。
【００３０】
次に、電気掃除機１の使用者は、手元操作管４を把持して操作部４ａの起動スイッチ４ｃを操作する。そうすると、電気掃除機１は運転を開始する。
【００３１】
電気掃除機１を運転すると、電動送風機９の作動によって掃除機本体２内には負圧が作用する。この負圧は接続口２ａから集塵ホース３と手元操作管４と延長管５とを介して吸込口体６に作用する。そうすると電気掃除機１は吸込口体６の吸込開口から空気とともに床などの被掃除面に溜まった塵埃を吸い込んで被掃除面を掃除する。
【００３２】
吸込口体６に吸い込まれた含塵空気は、接続口２ａから掃除機本体２内に吸い込まれ、塵埃分離集塵ユニット８に案内される。塵埃分離集塵ユニット８に案内された含塵空気は、分離部２０によって空気と塵埃とに分離される。含塵空気から分離された空気は電動送風機９に吸い込まれる。他方、含塵空気から分離された塵埃は塵埃分離集塵ユニット８の集塵部２１に蓄積される。
【００３３】
このとき、集塵部２１に設けられた発熱部２３は、電源コードから供給される電力に基づき加熱される。この熱は発熱部２３に着設された第１の消臭部２２の触媒を活性化させる。そうすると、集塵部２１に蓄積された塵埃から生じる臭気は、第１の消臭部２２の触媒作用によって酸化分解される。また、発熱部２３が発生させる熱の一部は蓄熱部材２４に蓄えられる。
【００３４】
集塵部２１で十分に分解されずに残った臭気は、含塵空気から分離された空気とともに電動送風機９に吸い込まれ、電動送風機９のモータ部によって加熱されて、電動送風機９の排気口２７から排気される。
【００３５】
このとき、電動送風機９の排気口２７を覆うフィルタ２９は、電動送風機９の排気によって加熱される。そうすると、フィルタ２９に付着または含浸された消臭部材２８の触媒が活性化される。したがって、電動送風機９の排気から生じる臭気は、消臭部材２８の触媒作用によって酸化分解される。また、電動送風機９のモータ部が発生させる熱の一部は電動送風機ケース２６に蓄えられる。
【００３６】
したがって、掃除機本体２の本体排気口３４からは十分に臭気が低減された空気が排気される。
【００３７】
次に、被掃除面の掃除が終了すると、電気掃除機１の使用者は操作部４ａの切スイッチ４ｂを操作する。そうすると、電気掃除機１は運転を停止する。
【００３８】
電気掃除機１を停止すると、電動送風機９も停止して掃除機本体２内には負圧が作用しなくなる。このとき、集塵部２１に蓄積された塵埃は、継続して臭気を生じる。
【００３９】
集塵部２１に設けられた発熱部２３は、電力が供給されなくなるので発熱しない。他方、蓄熱部材２４に蓄えられた熱によって第１の消臭部２２の触媒の活性が維持される。そうすると、集塵部２１に蓄積された塵埃から生じる臭気は、電気掃除機１の停止後であっても第１の消臭部２２の触媒作用によって酸化分解される。
【００４０】
また、電動送風機９の排気口２７を覆うフィルタ２９は、金属製のモータ部および金属製の電動送風機ケース２６に蓄えられた熱によって加熱される。すなわち、金属製のモータ部および金属製の電動送風機ケース２６はフィルタ２９に付着または含浸された消臭部材２８の第２の蓄熱部として作用する。そうすると、フィルタ２９に付着または含浸された消臭部材２８の触媒が活性化される。したがって、電動送風機９が収容された電動送風機室１７内に残った臭気は、消臭部材２８の触媒作用によって酸化分解される。なお、フィルタ２９および電動送風機ケース２６の少なくともいずれかに当接するように蓄熱部材を設けてもよい。
【００４１】
したがって、電気掃除機１の停止後であっても、集塵部２１に設けられた第１の消臭部２２の周囲に存する第１の蓄熱部および電動送風機室１７に設けられた消臭部材２８の周囲に存する第２の蓄熱部によって触媒の活性が維持され、掃除機本体２の内部の臭気が十分に低減される。掃除機本体２の内部に残留する臭気を低減することができるので、電気掃除機１を次回運転させた際に、運転の開始時から排気の臭気を低減させることができる。
【００４２】
本実施形態に係る電気掃除機１によれば、簡易な構成で、かつ電気掃除機１の運転開始当初から運転停止させたあと十分な期間に亘って、触媒の活性を維持して掃除機本体２の内部の臭気を消臭できる。
【００４３】
［第２の実施形態］
本発明に係る電気掃除機の第２実施形態について図３を参照して説明する。
【００４４】
なお、本実施形態において第１実施形態と同じ構成には同一の符号を付し、重複する説明は省略する。
【００４５】
図３は、本発明の第２実施形態に係る電気掃除機の掃除機本体の部分的な断面図である。
【００４６】
図３に示すように、電気掃除機１Ａの掃除機本体２の内部は、連通孔１５を有する隔壁１６によって、塵埃分離集塵ユニット８が収容された収納室１１と、電動送風機９が収容された電動送風機室１７とに区画される。
【００４７】
電動送風機室１７には、電動送風機９を覆う略円筒状の保持体３１が設けられる。保持体３１には吐出口３２が形成される。吐出口３２には、熱によって活性化される触媒作用を利用した化学反応により悪臭を除去する第２の消臭部としての消臭部材３９を付着または含浸させたフィルタ４０が設けられる。フィルタ４０は吐出口３２を覆うとともに、その周縁部に設けられた第２の蓄熱部としての蓄熱部材４１に当接される。
【００４８】
消臭部材３９にはマンガン、銅、コバルト、チタン、金および白金のいずれかの金属、もしくは金属酸化物を含む触媒が用いられる。
【００４９】
次に、本実施形態に係る電気掃除機１Ａの掃除動作を説明する。
【００５０】
使用者が電気掃除機１Ａの運転を開始すると、集塵部２１に設けられた発熱部２３は、電源コードから供給される電力に基づき加熱される。この熱は発熱部２３に着設された第１の消臭部２２の触媒を活性化させる。そうすると、集塵部２１に蓄積された塵埃から生じる臭気は、第１の消臭部２２の触媒作用によって酸化分解される。また、発熱部２３が発生させる熱の一部は蓄熱部材２４に蓄えられる。
【００５１】
集塵部２１で十分に分解されずに残った臭気は、含塵空気から分離された空気とともに電動送風機９に吸い込まれ、電動送風機９のモータ部によって加熱されて、電動送風機９の排気口２７から排気される。
【００５２】
このとき、保持体３１の吐出口３２を覆うフィルタ４０は、電動送風機９の排気によって加熱される。そうすると、フィルタ４０に付着または含浸された消臭部材３９の触媒が活性化される。したがって、電動送風機９の排気から生じる臭気は、消臭部材３９の触媒作用によって酸化分解される。また、電動送風機９の排気の熱の一部は蓄熱部材４１に蓄えられる。
【００５３】
したがって、掃除機本体２の本体排気口３４からは十分に臭気が低減された空気が排気される。
【００５４】
次に、使用者が電気掃除機１Ａの運転を停止すると、電動送風機９も停止して掃除機本体２内には負圧が作用しなくなる。このとき、集塵部２１に蓄積された塵埃は、継続して臭気を生じる。
【００５５】
集塵部２１に設けられた発熱部２３は、電力が供給されなくなるので発熱しない。他方、蓄熱部材２４に蓄えられた熱によって第１の消臭部２２の触媒の活性が維持される。そうすると、集塵部２１に蓄積された塵埃から生じる臭気は、電気掃除機１Ａの停止後であっても第１の消臭部２２の触媒作用によって酸化分解される。
【００５６】
また、保持体３１の吐出口３２を覆うフィルタ４０は、蓄熱部材４１に蓄えられた熱によって加熱される。そうすると、フィルタ４０に付着または含浸された消臭部材３９の触媒が活性化される。したがって、電動送風機９が収容された電動送風機室１７内に残った臭気は、消臭部材３９の触媒作用によって酸化分解される。
【００５７】
したがって、電気掃除機１Ａの停止後であっても、集塵部２１に設けられた第１の消臭部２２の周囲に存する第１の蓄熱部および電動送風機室１７に設けられた消臭部材３９の周囲に存する第２の蓄熱部によって触媒の活性が維持され、掃除機本体２の内部の臭気が十分に低減される。掃除機本体２の内部に残留する臭気を低減することができるので、電気掃除機１Ａを次回運転させた際に、運転の開始時から排気の臭気を低減させることができる。
【００５８】
本実施形態に係る電気掃除機１Ａによれば、簡易な構成で、かつ電気掃除機１Ａの運転開始当初から運転停止させたあと十分な期間に亘って、触媒の活性を維持して掃除機本体２の内部の臭気を消臭できる。
【００５９】
［第３の実施形態］
本発明に係る電気掃除機の第３実施形態について図４を参照して説明する。
【００６０】
なお、本実施形態において第１実施形態と同じ構成には同一の符号を付し、重複する説明は省略する。
【００６１】
図４は、本発明の第３実施形態に係る電気掃除機の掃除機本体の部分的な断面図である。
【００６２】
図４に示すように、電気掃除機１Ｂの掃除機本体２の内部は、連通孔１５を有する隔壁１６によって、塵埃分離集塵ユニット８が収容された収納室１１と、電動送風機９が収容された電動送風機室１７とに区画される。
【００６３】
掃除機本体２は電源コード（図示省略）および電動送風機９などに電気的に接続された略矩形平板状の回路基板３６を備える。回路基板３６には、制御部の動作によって発生する熱を放出させる金属製のヒートシンクである放熱板３７が設けられる。放熱板３７は電動送風機室１７に延設され、特にケース部３３に形成された本体排気口３４の近傍に亘って延設される。本体排気口３４の近傍に位置して、電気掃除機１Ｂを運転させると電動送風機９の排気風に曝される放熱板３７の一部には、熱によって活性化される触媒作用を利用した化学反応により悪臭を除去する第２の消臭部としての消臭部材４３を付着または含浸させたフィルタ４４が設けられる。すなわち、放熱板３７は消臭部材４３のフィルタ４４に第２の蓄熱部として当接される。
【００６４】
消臭部材４３にはマンガン、銅、コバルト、チタン、金および白金のいずれかの金属、もしくは金属酸化物を含む触媒が用いられる。
【００６５】
次に、本実施形態に係る電気掃除機１Ｂの掃除動作を説明する。
【００６６】
使用者が電気掃除機１Ｂの運転を開始すると、集塵部２１に設けられた発熱部２３は、電源コードから供給される電力に基づき加熱される。この熱は発熱部２３に着設された第１の消臭部２２の触媒を活性化させる。そうすると、集塵部２１に蓄積された塵埃から生じる臭気は、第１の消臭部２２の触媒作用によって酸化分解される。また、発熱部２３が発生させる熱の一部は蓄熱部材２４に蓄えられる。
【００６７】
集塵部２１で十分に分解されずに残った臭気は、含塵空気から分離された空気とともに電動送風機９に吸い込まれ、電動送風機９のモータ部によって加熱されて、電動送風機９の排気口２７から排気される。
【００６８】
このとき、放熱板３７に設けられたフィルタ４４は、電動送風機９の排気によって加熱される。そうすると、フィルタ４４に付着または含浸された消臭部材４３の触媒が活性化される。したがって、電動送風機９の排気から生じる臭気は、消臭部材４３の触媒作用によって酸化分解される。また、回路基板３６に実装された制御部の動作によって発生する熱の一部は放熱板３７に蓄えられる。
【００６９】
したがって、掃除機本体２の本体排気口３４からは十分に臭気が低減された空気が排気される。
【００７０】
次に、使用者が電気掃除機１Ｂの運転を停止すると、電動送風機９も停止して掃除機本体２内には負圧が作用しなくなる。このとき、集塵部２１に蓄積された塵埃は、継続して臭気を生じる。
【００７１】
集塵部２１に設けられた発熱部２３は、電力が供給されなくなるので発熱しない。他方、蓄熱部材２４に蓄えられた熱によって第１の消臭部２２の触媒の活性が維持される。そうすると、集塵部２１に蓄積された塵埃から生じる臭気は、電気掃除機１Ｂの停止後であっても第１の消臭部２２の触媒作用によって酸化分解される。
【００７２】
また、放熱板３７に設けられたフィルタ４４は、放熱板３７に蓄えられた熱によって加熱される。そうすると、フィルタ４４に付着または含浸された消臭部材４３の触媒が活性化される。したがって、電動送風機９が収容された電動送風機室１７内に残った臭気は、消臭部材４３の触媒作用によって酸化分解される。なお、フィルタ４４および放熱板３７の少なくともいずれかに当接するように蓄熱部材を設けてもよい。
【００７３】
したがって、電気掃除機１Ｂの停止後であっても、集塵部２１に設けられた第１の消臭部２２の周囲に存する第１の蓄熱部および電動送風機室１７に設けられた消臭部材４３の周囲に存する第２の蓄熱部によって触媒の活性が維持され、掃除機本体２の内部の臭気が十分に低減される。掃除機本体２の内部に残留する臭気を低減することができるので、電気掃除機１Ｂを次回運転させた際に、運転の開始時から排気の臭気を低減させることができる。
【００７４】
本実施形態に係る電気掃除機１Ｂによれば、簡易な構成で、かつ電気掃除機１Ｂの運転開始当初から運転停止させたあと十分な期間に亘って、触媒の活性を維持して掃除機本体２の内部の臭気を消臭できる。
【００７５】
なお、本発明に係る電気掃除機は、キャニスタ型の電気掃除機１、１Ａ、１Ｂに限らず、アプライト型、スティック型、あるいはハンディ型などの電気掃除機であってもよい。
【図面の簡単な説明】
【００７６】
【図１】本発明の第１実施形態に係る電気掃除機の外観を示した図。
【図２】本発明の第１実施形態に係る電気掃除機の掃除機本体の部分的な断面図。
【図３】本発明の第２実施形態に係る電気掃除機の掃除機本体の部分的な断面図。
【図４】本発明の第３実施形態に係る電気掃除機の掃除機本体の部分的な断面図。
【符号の説明】
【００７７】
１  電気掃除機
２  掃除機本体
２ａ  接続口
３  集塵ホース
４  手元操作管
４ａ  操作部
４ｂ  切スイッチ
４ｃ  起動スイッチ
５  延長管
６  吸込口体
８  塵埃分離集塵ユニット
９  電動送風機
１０  蓋板
１１  収納室
１５  連通孔
１６  隔壁
１７  電動送風機室
１９  吸気口
２０  分離部
２１  集塵部
２２  第１の消臭部
２３  発熱部
２４  蓄熱部材
２６  電動送風機ケース
２７  排気口
２８  消臭部材
２９  フィルタ
３１  保持体
３２  吐出口
３３  ケース部
３４  本体排気口
３６  回路基板
３７  放熱板
３９  消臭部材
４０  フィルタ
４１  蓄熱部材
４３  消臭部材
４４  フィルタ
【図１】
2009232898.tif 000003
【図２】
2009232898.tif 000004
【図３】
2009232898.tif 000005
【図４】
2009232898.tif 000006